(57)【要約】  保温システム（１）は、貯留部（１０）と、通路部（３０）と、案内部（４０）とを備える。通路部（３０）は、熱を運搬する媒体としての物質の通路を構成する。貯留部（１０）は、物質を貯留する。案内部（４０）は、貯留部（１０）と通路部（３０）とを接続して、貯留部（１０）から通路部（３０）へ物質を案内する。通路部（３０）は、物体を収容する収容スペース（３３０）に配置される。物体を収容する第１収容部（２０）を更に含む。第１収容部２０は、収容スペース（３３０）に配置される。物質は、液体（ＬＱ）である。貯留部（１０）は、地中（Ｇ２）に位置する。第１収容部（２０）は、収容スペース（３３０）に配置される。案内部（４０）は、貯留部（１０）から通路部（３０）へ液体（ＬＱ）を案内する。通路部（３０）は、第１収容部（２０）の外側に配置される。
2020138243.tif 000002
【特許請求の範囲】
【請求項１】
熱を運搬する媒体としての物質の通路を構成する通路部と、
前記物質を貯留する貯留部と、
前記貯留部と前記通路部とを接続して、前記貯留部から前記通路部へ前記物質を案内する案内部と
を備え、
前記通路部は、物体を収容する収容スペースに配置される、保温システム。
【請求項２】
物体を収容する第１収容部を更に含み、
前記第１収容部は、収容スペースに配置され、
前記通路部は、前記第１収容部の外側に配置される、請求項１に記載の保温システム。
【請求項３】
前記貯留部は、地中に位置し、
前記第１収容部は、生物を収容し、
前記物質は、液体であり、
前記案内部は、前記貯留部から前記通路部へ前記液体を案内する、請求項２に記載の保温システム。
【請求項４】
前記第１収容部を収容する第２収容部を更に備え、
前記通路部は、前記第２収容部の外面に沿って配置される、請求項３に記載の保温システム。
【請求項５】
前記第２収容部は、地中に位置する、請求項４に記載の保温システム。
【請求項６】
前記第１収容部を移動させる移動部を更に備える、請求項３から請求項５のいずれか１項に記載の保温システム。
【請求項７】
前記通路部は、光を透過する、請求項３から請求項６のいずれか１項に記載の保温システム。
【請求項８】
前記第１収容部の外側に配置される複数の前記通路部を更に備え、
前記複数の通路部の各々は、複数の通路体を含み、
前記複数の通路体は、直列に接続される、請求項３から請求項６のいずれか１項に記載の保温システム。
【請求項９】
地表からの深さが異なる複数の前記貯留部を含み、
前記保温システムは、前記通路部に向かって案内される前記液体の供給元を切り替える切替部を更に備え、
前記切替部は、前記複数の貯留部のうちの供給元に設定されている貯留部から、他の貯留部に供給元を切り替える、請求項３から請求項８のいずれか１項に記載の保温システム。
【請求項１０】
前記第１収容部が運搬される作業室を更に備え、
前記作業室は、外部と遮断される、請求項１から請求項９のいずれか１項に記載の保温システム。
【請求項１１】
熱を運搬する媒体としての物質の通路を構成する通路部と、
貯留部から、前記貯留部に貯留された前記物質を前記通路部へ案内する案内部と
を備え、
前記通路部は、物体を収容する収容スペースに配置される、保温装置。
【請求項１２】
物体を収容する第１収容部を更に含み、
前記第１収容部は、収容スペースに配置され、
前記通路部は、前記第１収容部の外側に配置される、請求項１１に記載の保温装置。
【請求項１３】
前記貯留部は、地中に位置し、
前記第１収容部は、生物を収容し、
前記物質は、液体であり、
前記案内部は、前記貯留部から前記通路部へ前記液体を案内する、請求項１２に記載の保温装置。
【請求項１４】
物体を収容する第１収容部と、
前記第１収容部を収容する第２収容部と、
加熱によって、光を出射する熱輻射部材と、
前記熱輻射部材が出射した光を導く導光部と
を備え、
前記第２収容部は、光を発射する発光部を有し、
前記導光部は、前記熱輻射部材が出射した光を前記発光部に導き、
前記発光部は、前記導光部に導かれた光を発射する、保温システム。
【請求項１５】
前記第１収容部は、生物を育成し、
前記第２収容部は、地中に位置する、請求項１４に記載の保温システム。
【請求項１６】
貯留している物質の温度が互いに異なる複数の貯留部と、
物体を収容する第１収容部と、
前記貯留部と前記第１収容部とを接続して、前記貯留部から前記第１収容部へ前記物質を案内する案内部と、
前記第１収容部に案内される前記物質の供給元を切り替える切替部と
を備え、
前記切替部は、前記複数の貯留部のうちの供給元に設定された貯留部から、他の貯留部に供給元を切り替える、保温システム。
【請求項１７】
前記複数の貯留部の各々は、地表からの深さが異なり、
前記第１収容部は、生物を収容し、
前記物質は、液体であり、
前記案内部は、前記貯留部から前記第１収容部へ前記液体を案内し、
前記切替部は、前記第１収容部に案内される前記液体の供給元を切り替える、請求項１６に記載の保温システム。
【請求項１８】
前記第１収容部の形状は、環状であり、
前記第１収容部の大きさは、前記生物の大きさに応じた大きさである、請求項１７に記載の保温システム。
【発明の詳細な説明】
【技術分野】
【０００１】
本発明は、保温システム及び保温装置に関する。
【背景技術】
【０００２】
特許文献１に記載の栽培施設は、栽培室と、光路と、収穫ロボットと、空気調和装置とを備える。栽培室は、植物の栽培を行う。栽培室は、地下に位置し、太陽光の導入が限られた空間からなる。光路は、地上と栽培室とを繋ぐ。光路は、太陽光を栽培室へ導く。収穫ロボットは、栽培室に配置される。空気調和装置は、栽培室の温度と湿度とを調整する。
【先行技術文献】
【特許文献】
【０００３】
【特許文献１】特開２０１６−２０５８号公報
【発明の概要】
【発明が解決しようとする課題】
【０００４】
本発明は、物体を保温する新規な保温システムを提供することを目的とする。
【課題を解決するための手段】
【０００５】
本発明の一局面によれば、保温システムは、通路部と、貯留部と、案内部とを備える。前記通路部は、熱を運搬する媒体としての物質の通路を構成する。前記貯留部は、前記物質を貯留する。前記案内部は、前記貯留部と前記通路部とを接続して、前記貯留部から前記通路部へ前記物質を案内する。前記通路部は、物体を収容する収容スペースに配置される。【０００６】
本発明の他の局面によれば、保温システムは、第１収容部を更に含む。前記第１収容部は、物体を収容する。前記第１収容部は、収容スペースに配置される。前記通路部は、前記第１収容部の外側に配置される。【０００７】
本発明の他の局面によれば、前記貯留部は、地中に位置する。前記第１収容部は、生物を収容する。前記物質は、液体である。前記案内部は、前記貯留部から前記通路部へ前記液体を案内する。【０００８】
本発明の他の局面によれば、保温システムは、第２収容部を更に備える。前記第２収容部は、前記第１収容部を収容する。前記通路部は、前記第２収容部の外面に沿って配置される。【０００９】
本発明の他の局面によれば、保温システムの前記第２収容部は、地中に位置する。【００１０】
本発明の他の局面によれば、保温システムは、移動部を更に備える。前記移動部は、前記第１収容部を移動させる。【００１１】
本発明の他の局面によれば、保温システムの前記通路部は、光を透過する。【００１２】
本発明の他の局面によれば、保温システムは、複数の前記通路部を更に備える。前記複数の通路部は、前記第１収容部の外側に配置される。前記複数の通路部の各々は、複数の通路体を含む。前記複数の通路体は、直列に接続される。【００１３】
本発明の他の局面によれば、保温システムは、複数の前記貯留部を含む。前記複数の貯留部は、地表からの深さが異なる。保温システムは、切替部を更に備える。前記切替部は、前記通路部に向かって案内される前記液体の供給元を切り替える。前記切替部は、前記複数の貯留部のうちの供給元に設定されている貯留部から、他の貯留部に供給元を切り替える。【００１４】
本発明の他の局面によれば、保温システムは、作業室を更に備える。前記作業室は、前記第１収容部第１収容部が運搬される。前記作業室は、外部と遮断される。【００１５】
本発明の一局面によれば、保温装置は、通路部と、案内部とを備える。前記通路部は、熱を媒介とする物質の通路を構成する。前記案内部は、貯留部から、前記貯留部に貯留された物質を前記通路部へ案内する。前記通路部は、物体を収容する収容スペースに配置される。【００１６】
本発明の他の局面によれば、保温装置は、第１収容部を更に含む。前記第１収容部は、物体を収容する。前記第１収容部は、収容スペースに配置される。前記通路部は、前記第１収容部の外側に配置される。【００１７】
本発明の他の局面によれば、前記貯留部は、地中に位置する。前記第１収容部は、生物を収容する。前記物質は、液体である。前記案内部は、前記貯留部から前記通路部へ前記液体を案内する。【００１８】
本発明の一局面によれば、保温システムは、第１収容部と、第２収容部と、熱輻射部材と、導光部と、導入部とを備える。前記第１収容部は、物体を収容する。前記第２収容部は、前記第１収容部を収容する。前記熱輻射部材は、加熱によって、光を出射する。前記導光部は、前記熱輻射部材が出射した光を導く。前記導入部は、二酸化炭素を第２収容部に導入する。前記第２収容部は、光を発射する発光部を有する。前記導光部は、前記熱輻射部材が出射した光を前記発光部に導く。前記発光部は、前記導光部に導かれた光を発射する。【００１９】
本発明の他の局面によれば、前記第１収容部は、生物を育成する。前記第２収容部は、地中に位置する。【００２０】
本発明の一局面によれば、保温システムは、複数の貯留部と、第１収容部と、案内部と、切替部とを備える。前記複数の貯留部は、貯留している物質の温度が互いに異なる。前記第１収容部は、物体を収容する。前記案内部は、前記貯留部と前記第１収容部とを接続して、前記貯留部から前記第１収容部へ前記物質を案内する。前記切替部は、前記第１収容部に案内される前記物質の供給元を切り替える。前記切替部は、前記複数の貯留部のうちの供給元に設定された貯留部から、他の貯留部に供給元を切り替える。【００２１】
本発明の他の局面によれば、前記複数の貯留部の各々は、地表からの深さが異なる。前記第１収容部は、生物を収容する。前記物質は、液体である。前記案内部は、前記貯留部から前記通路部へ前記液体を案内する。前記切替部は、前記第１収容部に案内される前記液体の供給元を切り替える。【００２２】
本発明の他の局面によれば、前記第１収容部の形状は、環状である。前記第１収容部の大きさは、前記生物の大きさに応じた大きさである。
【発明の効果】
【００２３】
本発明の保温システム及び保温装置によれば、温度を調整する際の費用を抑制できる。
【図面の簡単な説明】
【００２４】
【図１】本発明の実施形態１に係る保温システムを示す模式図である。
【図２】実施形態１に係る保温システムの別の模式図である。
【図３】実施形態１に係る貯留部を拡大して示す模式図である。
【図４】実施形態１に係る筒部を拡大して示す模式図である。
【図５】実施形態１に係る複数の筒部を示す斜視図である。
【図６】実施形態１に係る筒部の断面を模式的に示す断面図である。
【図７】図６と異なる側から見た筒部の断面を模式的に示す断面図である。
【図８】実施形態１に係る保温システムの作業室を示す図である。
【図９】本発明の実施形態２の保温システムを示す模式図である。
【図１０】本発明の実施形態３の発明に係る保温システムの収容部を示す図である。
【図１１】実施形態３の発明に係る保温システムの作業室を示す図である。
【図１２】本発明の実施形態４に係る保温システムを模式的に示す図である。
【図１３】実施形態４に係る保温システムの収容部を示す図である。
【図１４】実施形態４に係る複数の収容部を備える保温システムを示す図である。
【図１５】本発明の実施形態５に係る保温システムを模式的に示す図である。
【図１６】実施形態５に係る保温システムの育成部を拡大して示す図である。
【図１７】実施形態５に係る保温システムの第２配管を示す図である。
【図１８】本発明の実施形態６の保温システムを模式的に示す図である。
【発明を実施するための形態】
【００２５】
以下、本発明の実施形態について、図面を参照しながら説明する。なお、図中、同一又は相当部分については同一の参照符号を付して説明を繰り返さない。
【００２６】
［実施形態１］
図１〜図４を参照して、本発明の実施形態に係る保温システム１を説明する。図１は、本発明の実施形態に係る保温システム１を示す模式図である。図２は、本発明の実施形態に係る保温システム１を示す別の模式図である。図２では、保温システム１を詳しく説明するために、作業室９０を除いている。図３は、本実施形態に係る貯留部１０を拡大して示す模式図である。図４は、本実施形態に係る筒部３０を拡大して示す模式図である。図１〜図４に示すように、保温システム１は、例えば、山、又は、丘の傾斜に配置される。なお、保温システム１は、生物育成システムであってもよい。
【００２７】
図１と図２とに示すように、保温システム１は、貯留部１０と、育成部２０と、筒部３０と、案内部４０と、温度調整部５０と、貯留部５５と、貯留部５６と、通路３５と、作業室９０と、第１ポンプＰ１と、第２ポンプＰ２とを備える。
【００２８】
図１〜図３に示すように、貯留部１０は、熱を運搬する媒体としての物質を貯留する。物質は、熱を蓄えることが可能な物質である。熱を蓄えることが可能な物質は、例えば、流体、液体、粒体及び、プラズマである。例えば、貯留部１０は、液体を貯留する（以下、液体を液体ＬＱと記載する場合がある。）。液体ＬＱは、例えば、水である。貯留部１０には、例えば、温泉水、地下水、又は、雨水が貯留される。なお、液体ＬＱは、海水であってもよい。図１に示すように、貯留部１０は、地中Ｇ２に位置する。なお、貯留部１０は、地上に位置してもよい。
【００２９】
また、図３に示すように、貯留部１０は、地中Ｇ２に位置する。換言すると、貯留部１０は、地表Ｇ１から所定の深さＤに位置する。所定の深さＤは、例えば、地表Ｇ１から「３ｍ」以上となる深さである。貯留部１０が地中Ｇ２に位置する場合、貯留部１０に貯留される液体ＬＱの温度は、地表Ｇ１からの深さに応じた温度に保たれる。地表Ｇ１からの深さに応じた温度については、下記に記載されている。「日本の地温データ  Ｇｒｏｕｎｄ  ｔｅｍｐｅｒａｔｕｒｅ  ｄａｔａ  ｉｎ  Ｊａｐａｎ（ｈｔｔｐ：／／ｗｗｗ．ｉａｉ．ｇａ．ａ．ｕ−ｔｏｋｙｏ．ａｃ．ｊｐ／ｍｉｚｏ／ｒｅｓｅａｒｃｈ／ｓｏｉｌｄｂ／ｇｒｏｕｎｄ＿Ｔ＿ｄｂ．ｈｔｍｌ）」
【００３０】
なお、緯度によって、所定の深さＤを変更してもよい。本実施形態においては、例えば、貯留部１０に貯留された液体ＬＱの温度が「約１５度以上」となる深さＤに、貯留部１０が位置することが好ましい。
【００３１】
図１に示すように、育成部２０は、物体を収容する。物体は、例えば、無機物又は有機物のうちの少なくとも１つを含む。無機物は、例えば、水である。有機物は、例えば、生物ＬＦである。育成部２０は、「第１収容部」の一例に相当する。例えば、育成部２０は、生物ＬＦを育成する。生物ＬＦは、例えば、植物である。植物は、例えば、約１５度〜約１７度で育成可能な野菜又は果物である。野菜は、例えば、レタスである。果物は、例えば、イチゴである。また、生物ＬＦは、例えば、魚類である。魚類は、例えば、約１５度〜約１７度で育成可能な魚類である。魚類は、例えば、ニジマスである。また、生物ＬＦは、昆虫である。昆虫は、例えば、イナゴである。育成部２０については、後述する。
【００３２】
筒部３０は、液体ＬＱの通路を構成する。筒部３０は、「通路部」の一例に相当する。言い換えると、筒部３０は、液体ＬＱの流路を構成する。筒部３０は、案内部４０によって、貯留部１０と接続される。また、筒部３０は１つであってもよいし、複数であってもよい。また、筒部３０は、環状であってもよい。筒部３０が環状である場合、筒部３０の内縁側に育成部２０が配置される。
【００３３】
図４に示すように、筒部３０は、第１端部と第２端部とを有する。第１端部は、図２に示すように、第１方向Ａ１側に位置する端部である。第１方向Ａ１は、複数の筒部３０から貯留部１０へ向かう方向である。第２端部は、図２に示すように、第２方向Ａ２側に位置する端部である。第２方向Ａ２は、複数の筒部３０から作業室９０側へ向かう方向である。複数の筒部３０の各々は、内部が中空である。筒部３０の内部は、第１端部から第２端部まで液体ＬＱが流れる流路を構成する。
【００３４】
図１〜図４に示すように、案内部４０は、貯留部１０と筒部３０とを接続する。そして、案内部４０は、貯留部１０から筒部３０へ液体ＬＱを案内する。案内部４０は、液体ＬＱの流路である。案内部４０は、円筒形状である。案内部４０は、例えば、円筒形状のパイプである。液体ＬＱが貯留部１０から筒部３０へ向かって流れるように、案内部４０は傾斜していてもよい。
【００３５】
温度調整部５０は、液体ＬＱの温度を調整する。具体的には、温度調整部５０は、貯留部１０に貯留された液体ＬＱを加熱して、液体ＬＱの温度を調整する。また、温度調整部５０は、貯留部１０に貯留された液体ＬＱを冷却して、液体ＬＱの温度を調整する。貯留部１０に貯留された液体ＬＱの温度は、貯留部１０の地表Ｇ１からの深さに応じた温度に保たれる。したがって、目的の温度まで液体ＬＱを加熱するとき、地表Ｇ１からの深さに応じた温度を基準にして、液体ＬＱを加熱できる。また、目的の温度まで液体ＬＱを冷却するときに、地表Ｇ１からの深さに応じた温度を基準にして、液体ＬＱを冷却できる。この結果、目的の温度にすることが容易となる。
【００３６】
また、温度調整部５０は、貯留部５６に貯留された液体ＬＱを加熱して、液体ＬＱの温度を調整する。また、温度調整部５０は、貯留部５６に貯留された液体ＬＱを冷却して、液体ＬＱの温度を調整する。
【００３７】
貯留部５５は、筒部３０から流出した液体ＬＱを貯留する。貯留部５５は、複数の筒部３０から流出した液体ＬＱを一時的に貯留する。
【００３８】
貯留部５６は、筒部３０から流出した液体ＬＱを貯留する。貯留部５６は、複数の筒部３０から流出した液体ＬＱを一時的に貯留する。貯留部５６は、貯留部１０へ移送する液体ＬＱの量を一定にするために配置される。
【００３９】
通路３５は、育成部２０から作業室９０までをつなぐ。通路３５は、筒部３０で囲まれた空間と作業室９０とを連通する。作業室９０の内部空間は、作業室９０の外部と遮断される。
【００４０】
作業室９０は、育成部２０が運搬される。作業室９０において、作業者が育成部２０に、水、及び、土を配置する。また、作業室９０において、作業者が育成部２０に生物ＬＦを配置する。また、作業室９０において、作業者が育成部２０で育成した生物ＬＦを収穫する。
【００４１】
第１ポンプＰ１は、液体ＬＱを移送する。具体的には、貯留部１０から流出した液体ＬＱを複数の筒部３０に向けて、第１ポンプＰ１は移送する。第１ポンプＰ１は、案内部４０に取付けられる。具体的には、第１ポンプＰ１は、貯留部１０と複数の筒部３０との間を接続する案内部４０に取付けられる。第１ポンプＰ１の駆動により、貯留部１０内の液体ＬＱは、案内部４０を通って複数の筒部３０まで移送される。
【００４２】
第２ポンプＰ２は、液体ＬＱを移送する。具体的には、貯留部５５から流出した液体ＬＱを貯留部１０に向けて、第２ポンプＰ２は移送する。第２ポンプＰ２は、案内部４０に取付けられる。具体的には、第２ポンプＰ２は、貯留部５５と貯留部１０との間を接続する案内部４０に取付けられる。第２ポンプＰ２の駆動により、貯留部５５内の液体ＬＱは、案内部４０を通って、貯留部１０へ移送される。第１ポンプＰ１と第２ポンプＰ２とによって、液体ＬＱが循環する。
【００４３】
次に、図１〜３を参照して、本実施形態に係る貯留部１０と案内部４０と温度調整部５０とを更に詳しく説明する。
【００４４】
図３に示すように、貯留部１０は、第１貯留部１０Ａと第２貯留部１０Ｂと第３貯留部１０Ｃとを含む。第１貯留部１０Ａは、地中Ｇ２に位置する。地中Ｇ２における第１貯留部１０Ａの位置は、地表Ｇ１からの深さが、深さＤ１となる位置である。深さＤ１は、例えば、地表Ｇ１からの深さが「３ｍ」となる位置である。
【００４５】
第２貯留部１０Ｂは、地中Ｇ２に位置する。地中Ｇ２における第２貯留部１０Ｂの位置は、地表Ｇ１からの深さが、深さＤ２となる位置である。深さＤ２は、深さＤ１より深い。深さＤ２は、例えば、地表Ｇ１からの深さが「５ｍ」となる位置である。第２貯留部１０Ｂに貯留された液体ＬＱの温度は、第１貯留部１０Ａに貯留された液体ＬＱの温度と異なる。例えば、夏季における第２貯留部１０Ｂに貯留された液体ＬＱの温度は、第１貯留部１０Ａに貯留された液体ＬＱの温度と比較して、低い。夏季は、例えば、１日の平均温度が２５度以上となる時期である。また、例えば、冬季における第２貯留部１０Ｂに貯留された液体ＬＱの温度は、第１貯留部１０Ａに貯留された液体ＬＱの温度と比較して、高い。冬季は、例えば、１日の平均気温が１０度以下となる時期である。
【００４６】
第３貯留部１０Ｃは、地中Ｇ２に位置する。地中Ｇ２における第３貯留部１０Ｃの位置は、地表Ｇ１からの深さが、深さＤ３となる位置である。深さＤ３は、深さＤ２より深い。深さＤ３は、例えば、地表Ｇ１からの深さが「１０ｍ」となる位置である。第３貯留部１０Ｃに貯留された液体ＬＱの温度は、第１貯留部１０Ａに貯留された液体ＬＱの温度、及び、第２貯留部１０Ｂに貯留された液体ＬＱの温度と異なる。例えば、夏季における第３貯留部１０Ｃに貯留された液体ＬＱの温度は、第１貯留部１０Ａに貯留された液体ＬＱの温度、及び、第２貯留部１０Ｂに貯留された液体ＬＱの温度と比較して、低い。また、例えば、冬季における第３貯留部１０Ｃに貯留された液体ＬＱの温度は、第１貯留部１０Ａに貯留された液体ＬＱの温度、及び、第２貯留部１０Ｂに貯留された液体ＬＱの温度と比較して、高い。
【００４７】
図２〜図４に示すように、案内部４０は、第１案内部４１、第２案内部４２、第３案内部４３、第４案内部４４、第５案内部４５、第６案内部４６、第７案内部４７、第８案内部４８、及び、第９案内部４９を有する。
【００４８】
第１案内部４１は、貯留部１０に貯留された液体ＬＱを貯留部１０から第２案内部４２に案内する。第１案内部４１は、貯留部１０と第２案内部４２とに接続される。具体的には、第１案内部４１の一方の端部は、貯留部１０に接続される。第１案内部４１の他方の端部は、第２案内部４２に接続される。第１案内部４１は、第１案内部４１Ａと、第１案内部４１Ｂと、第１案内部４１Ｃとを有する。
【００４９】
第１案内部４１Ａは、第１貯留部１０Ａに貯留された液体ＬＱを第１貯留部１０Ａから第２案内部４２へ案内する。第１案内部４１Ａの一方の端部は、第１貯留部１０Ａに接続される。第１案内部４１Ａの他方の端部は、第２案内部４２に接続される。
【００５０】
第１案内部４１Ｂは、第２貯留部１０Ｂに貯留された液体ＬＱを第２貯留部１０Ｂから第２案内部４２へ案内する。第１案内部４１Ｂの一方の端部は、第２貯留部１０Ｂに接続される。第１案内部４１Ｂの他方の端部は、第２案内部４２に接続される。
【００５１】
第１案内部４１Ｃは、第３貯留部１０Ｃに貯留された液体ＬＱを第３貯留部１０Ｃから第２案内部４２へ案内する。第１案内部４１Ｃの一方の端部は、第３貯留部１０Ｃに接続される。第１案内部４１Ｃの他方の端部は、第２案内部４２に接続される。
【００５２】
第２案内部４２は、第１案内部４１から流入した液体ＬＱを第３案内部４３に案内する。第２案内部４２は、第１案内部４１と第３案内部４３とに接続される。具体的には、第２案内部４２の一方の端部は、第１案内部４１に接続される。第２案内部４２の他方の端部は、第３案内部４３に接続される。
【００５３】
第３案内部４３は、第２案内部４２から流入した液体ＬＱを複数の筒部３０に案内する。第３案内部４３は、第２案内部４２と筒部３０とに接続される。具体的には、第３案内部４３の一方の端部は、第２案内部４２に接続される。第３案内部４３の他方の端部は、複数の筒部３０に接続される。
【００５４】
第４案内部４４は、複数の筒部３０から流入した液体ＬＱを第５案内部４５に案内する。第４案内部４４は、複数の筒部３０と第５案内部４５とに接続される。具体的には、第４案内部４４の一方の端部は、複数の筒部３０に接続される。第４案内部４４の他方の端部は、第５案内部４５に接続される。
【００５５】
第５案内部４５は、第４案内部４４から流入した液体ＬＱを第６案内部４６、及び、第７案内部４７に案内する。第５案内部４５は、第４案内部４４と第６案内部４６とに接続される。また、第５案内部４５は、第４案内部４４と第７案内部４７とに接続される。具体的には、第５案内部４５の一方の端部は、第４案内部４４に接続される。第５案内部４５の他方の端部は、第６案内部４６、及び、第７案内部４７に接続される。
【００５６】
第６案内部４６は、第５案内部４５から流入した液体ＬＱを貯留部５６に案内する。第６案内部４６は、第５案内部４５と貯留部５６とに接続される。具体的には、第６案内部４６の一方の端部は、第５案内部４５に接続される。第６案内部４６の他方の端部は、貯留部５６に接続される。
【００５７】
第７案内部４７は、第５案内部４５から流入した液体ＬＱを貯留部５５に案内する。第７案内部４７は、第５案内部４５と貯留部５５とに接続される。具体的には、第７案内部４７の一方の端部は、第５案内部４５に接続される。第７案内部４７の他方の端部は、貯留部５５に接続される。
【００５８】
第８案内部４８は、貯留部５５から流入した液体ＬＱを第９案内部４９に案内する。第８案内部４８は、貯留部５５と第９案内部４９とに接続される。具体的には、第８案内部４８の一方の端部は、貯留部５５に接続される。第８案内部４８の他方の端部は、第９案内部４９に接続される。
【００５９】
第９案内部４９は、第８案内部４８から流入した液体ＬＱを貯留部１０に案内する。第９案内部４９は、第８案内部４８と貯留部１０とに接続される。具体的には、第９案内部４９の一方の端部は、第８案内部４８に接続される。第９案内部４９の他方の端部は、貯留部１０に接続される。第９案内部４９は、第９案内部４９Ａと、第９案内部４９Ｂと、第９案内部４９Ｃとを有する。
【００６０】
第９案内部４９Ａは、第８案内部４８から流入した液体ＬＱを第１貯留部１０Ａに案内する。第９案内部４９Ａの一方の端部は、第８案内部４８に接続される。第９案内部４９Ａの他方の端部は、第１貯留部１０Ａに接続される。
【００６１】
第９案内部４９Ｂは、第８案内部４８から流入した液体ＬＱを第２貯留部１０Ｂに案内する。第９案内部４９Ｂの一方の端部は、第８案内部４８に接続される。第９案内部４９Ｂの他方の端部は、第２貯留部１０Ｂに接続される。
【００６２】
第９案内部４９Ｃは、第８案内部４８から流入した液体ＬＱを第３貯留部１０Ｃに案内する。第９案内部４９Ｃの一方の端部は、第８案内部４８に接続される。第９案内部４９Ｃの他方の端部は、第３貯留部１０Ｃに接続される。
【００６３】
図２と図３とに示すように、温度調整部５０は、第１温度調整部５０Ａと、第２温度調整部５０Ｂと、第３温度調整部５０Ｃとを有する。
【００６４】
第１温度調整部５０Ａは、第１貯留部１０Ａに貯留された液体ＬＱの温度を調整する。具体的には、第１温度調整部５０Ａは、第１貯留部１０Ａに貯留された液体ＬＱを加熱して、液体ＬＱの温度を調整する。また、第１温度調整部５０Ａは、第１貯留部１０Ａに貯留された液体ＬＱを冷却して、液体ＬＱの温度を調整する。
【００６５】
第２温度調整部５０Ｂは、第２貯留部１０Ｂに貯留された液体ＬＱの温度を調整する。具体的には、第２温度調整部５０Ｂは、第２貯留部１０Ｂに貯留された液体ＬＱを加熱して、液体ＬＱの温度を調整する。また、第２温度調整部５０Ｂは、第２貯留部１０Ｂに貯留された液体ＬＱを冷却して、液体ＬＱの温度を調整する。
【００６６】
第３温度調整部５０Ｃは、第３貯留部１０Ｃに貯留された液体ＬＱの温度を調整する。具体的には、第３温度調整部５０Ｃは、第３貯留部１０Ｃに貯留された液体ＬＱを加熱して、液体ＬＱの温度を調整する。また、第３温度調整部５０Ｃは、第３貯留部１０Ｃに貯留された液体ＬＱを冷却して、液体ＬＱの温度を調整する。
【００６７】
なお、本実施形態の保温システム１は、温度調整部５０を有していたが、これに限らない。例えば、保温システム１は、温度調整部５０を有していなくてもよい。
【００６８】
次に、図１〜図７を参照して、本実施形態に係る筒部３０について、更に詳しく説明する。図５は、本実施形態に係る複数の筒部３０を示す斜視図である。図５では、発明の理解を容易にするため、案内部４０を省略している。図６は、本実施形態に係る筒部３０の断面を模式的に示す図である。図７は、図６と異なる側からみた筒部３０の断面を模式的に示す図である。図１に示すように、筒部３０の内側には、収容スペース３３０が形成される。収容スペース３３０には、物体が収容される。つまり、収容スペース３３０には、筒部３０が配置される。具体的には、収容スペース３３０の外側には、筒部３０が配置される。また、収容スペース３３０の内側に筒部３０が配置されてもよい。また、収容スペース３３０には、育成部２０が配置されてもよい。また、収容スペース３３０には、後述する収容部６０が配置され、収容部６０に育成部２０が収容されてもよい。
【００６９】
また、図６に示すように、育成部２０の外側には、複数の筒部３０が配置される。つまり、育成部２０の外側には液体ＬＱが案内された筒部３０が位置する。この結果、育成部２０の温度を容易に維持できる。
【００７０】
また、地中Ｇ２に位置する貯留部１０から液体ＬＱを案内する場合、所定の温度に保たれた液体ＬＱが、貯留部１０から複数の筒部３０に案内され、複数の筒部３０に液体ＬＱが流入する。更に、所定の温度に保たれた液体ＬＱが複数の筒部３０を通過する。よって、所定の温度の液体ＬＱを使用して、育成部２０側の温度を変更できる。したがって、加温装置、及び、冷却装置を使用せずに、育成部２０の温度を調整できる。この結果、育成部２０の温度を調整する際の費用を削減できる。
【００７１】
例えば、従来の栽培施設では、空気調和装置が栽培室のような育成部の温度を調整する際の費用を抑制できない。したがって、育成部の温度を調整する際の費用を抑制できなかった。一方、本実施形態の保温システム１では、地中Ｇ２に位置する貯留部１０から液体ＬＱを案内するため、地温を利用して育成部２０の温度を調整できる。この結果、育成部２０の温度を調整する際の費用を抑制できる。
【００７２】
図６に示すように、育成部２０は、本体部２１を有する。本体部２１は、側板２１Ａと底板２１Ｂとを含む。側板２１Ａと底板２１Ｂとは、育成領域を形成する。育成領域には、例えば、土、又は、水が配置される。また、例えば、育成領域には生物ＬＦである植物、昆虫、又は、魚類が配置される。また、例えば、育成領域には、肥料が配置されてもよい。
【００７３】
複数の筒部３０は、光を透過する。複数の筒部３０は、透明又は半透明である。したがって、例えば、太陽光を育成部２０へ届かせることができる。つまり、育成部２０で育成している生物ＬＦに太陽光を当てることができる。この結果、筒部３０を透過した光を利用して生物ＬＦを育てることができる。なお、複数の筒部３０は、透明であることがより好ましい。なお、太陽光を育成部２０へ届かせることが必要のない場合、光を透過しないシートを筒部３０に取付けてもよい。
【００７４】
複数の筒部３０は、例えば、樹脂で構成される。樹脂は、例えば、ポリエチレンテレフタレート（ＰＥＴ）が好ましい。例えば、ポリエチレンテレフタレート（ＰＥＴ）で筒部３０を構成することで、収容部６０の外面６２を保護できる。
【００７５】
また、図６及び図７に示すように、複数の筒部３０の各々は複数の筒体３１を含む。筒体３１は、「通路体」の一例に相当する。複数の筒体３１は、直列に接続される。例えば、筒部３０において、液体ＬＱの漏洩が生じた場合、複数の筒体３１のうち、液体ＬＱの漏洩が生じた箇所の筒体３１を交換できる。つまり、液体ＬＱの漏洩が生じた筒部３０を全て交換する必要がない。したがって、筒部３０のメンテナンスが容易となる。この結果、メンテナンスにかかる手間を抑制できる。
【００７６】
具体的には、図７に示すように、複数の筒体３１は、例えば、筒体３０１Ａ〜筒体３０１Ｆを含む。なお、複数の筒体３１の構成は、同じ構成であるため、筒体３０１Ａ〜筒体３０１Ｆを例に説明し、他の筒体３１の説明は省略する。
【００７７】
筒体３０１Ａ〜筒体３０１Ｆの各々は、第１開放端と、第２開放端を有する。第１開放端は、第１方向Ａ１側の開放端である。第２開放端は、第２方向Ａ２側の開放端である。つまり、筒体３０１Ａ〜筒体３０１Ｆを直列に接続することで、筒体３０１Ａ〜筒体３０１Ｆが連通する。
【００７８】
筒体３０１Ａの第１開放端は、貯留部１０から筒部３０までを接続する案内部４０に接続される。筒体３０１Ａの第２開放端は、筒体３０１Ｂの第１開放端に接続される。筒体３０１Ｂの第２開放端は、筒体３０１Ｃの第１開放端に接続される。筒体３０１Ｄの第２開放端は、筒体３０１Ｅの第１開放端に接続される。筒体３０１Ｅの第２開放端は、筒体３０１Ｆの第１開放端に接続される。筒体３０１Ｆの第２開放端は、筒部３０から貯留部１０までを接続する案内部４０に接続される。
【００７９】
つまり、液体ＬＱは、筒体３０１Ａの第１開放端から流入する。そして、液体ＬＱは、筒体３０１Ａ〜筒体３０１Ｆによって構成される流路を通る。更に、液体ＬＱは、筒体３０１Ｆの第２開放端から案内部４０に流出する。なお、筒体３０１Ａの第１開放端は、筒部３０の第１端部に相当し、筒体３０１Ｆの第２開放端は、筒部３０の第２端部に相当する。
【００８０】
また、複数の筒体３１は、例えば、ペットボトルから作られてもよい。具体的には、ペットボトルの飲み口部と底部とを切断して、ペットボトルを筒状にする。そして、筒状となったペットボトルを直列に複数連結する。つまり、筒状となったペットボトルは、筒体３１に相当する。そして、直列に連結した複数の筒状のペットボトルは、筒部３０に相当する。なお、ペットボトルの底部のみを切断し、案内部４０と接続できるようにしてもよい。なお、筒体３１と筒体３１とは、接着材で固定される。
【００８１】
引き続き、図６と図７とを参照して、保温システム１を更に詳しく説明する。保温システム１は、収容部６０を更に備える。
【００８２】
収容部６０は、育成部２０を収容する。具体的には、収容部６０は、収容部６０の内部に育成部２０を収容する。収容部６０は、「第２収容部」の一例に相当する。
【００８３】
収容部６０は、本体部６０Ａと、蓋部６０Ｂとを有する。本体部６０Ａは、内部に育成部２０を収容する。本体部６０Ａは、円筒形状である。本体部６０Ａの端部は開放端である。
【００８４】
収容部６０の本体部６０Ａは、内面６１と外面６２とを有する。内面６１は、収容部６０の内部空間の壁面である。外面６２は、収容部６０の外部の壁面である。外面６２には、複数の筒部３０が配置される。換言すると、複数の筒部３０は、収容部６０の外面６２に沿って配置される。つまり、所定の温度に保たれた液体ＬＱが通過する複数の筒部３０と収容部６０の外面６２が接触する。よって、所定の温度の液体ＬＱを使用して、収容部６０の内面６１側に位置する育成部２０の温度を変更できる。したがって、加温装置、及び、冷却装置を使用せずに、育成部２０の温度を変更できる。この結果、季節に合わせて、育成部２０の温度を調整する際の費用を削減できる。
【００８５】
例えば、地表Ｇ１からの深さに応じた温度となった液体ＬＱを使用して、気温の高くなる夏であっても、季節に合わせて育成部２０の温度を調整できる。また、地表Ｇ１からの深さに応じた温度となった液体ＬＱを使用して、気温が低くなる冬であっても、季節に合わせて育成部２０の温度を調整できる。つまり、育成部２０の温度を調整して、季節に関わらず生物ＬＦを育成できる。
【００８６】
例えば、気温が低くなることに起因して成長が遅くなる植物の場合、育成部２０の温度を調整できるため、季節に関わらず植物を成長させることができる。したがって、季節に関わらず、成長した植物を収穫できる。また、成長した植物を昆虫の餌にすることも可能となる。
【００８７】
また、例えば、気温が低くなることに起因して冬眠する昆虫の場合、育成部２０の温度を調整できるため、昆虫が冬眠することを抑制できる。昆虫が冬眠しないことで、昆虫を更に成長させることができる。また、温度が調整できるため、昆虫の成長と産卵とを促すことができる。また、成長した昆虫は、魚類の餌に使用できる。
【００８８】
また、例えば、育成部２０で魚類を育成する場合、育成部２０の温度を調整できるため、季節に関わらず魚類を成長させることができる。したがって、温度が調整できるため、魚類の成長と産卵とを促すことができる。
【００８９】
蓋部６０Ｂは、本体部６０Ａの開放端を塞ぐ。蓋部６０Ｂは、本体部６０Ａの第１方向Ａ１側に位置する開放端を塞ぐ。蓋部６０Ｂは、本体部６０Ａの第２方向Ａ２側に位置する開放端を塞ぐ。よって、収容部６０は、育成部２０を閉じられた空間に収容できる。したがって、育成部２０で育成している生物ＬＦが収容部６０の外側に位置する生物と接触することを抑制できる。この結果、育成部２０で育成している生物ＬＦと、収容部６０の外側に位置する生物とが交雑することを抑制できる。例えば、育成部２０で育成している生物ＬＦが植物の場合、収容部６０の外側から種子（花粉）が収容部６０の内側に侵入することを抑制できる。
【００９０】
また、収容部６０の大きさは、育成部２０の大きさに対応している。例えば収容部６０の内部を加温する場合、収容部６０内のスペースが必要以上に広いと、収容部６０内の加温に時間を要する。つまり、収容部６０の内部を加温する際の効率が悪い。また、収容部６０の内部を冷却する場合、収容部６０内のスペースが必要以上に広いと、収容部６０内の冷却に時間を要する。つまり、収容部６０の内部を冷却する際の効率が悪い。よって、収容部６０の大きさは、育成部２０の大きさ、又は、育成する生物ＬＦに合わせて決定される。
【００９１】
なお、収容部６０は、供給部を有していてもよい。供給部は、例えば、育成部２０に水を供給する。また、供給部は、例えば、育成部２０に肥料を供給する。また、供給部は、例えば、育成部２０に水と肥料とを供給する。供給部は、パイプ形状である。パイプを通じて、水、及び、肥料が育成部２０に供給される。なお、収容部６０は、筒部３０の外側に位置してもよい。つまり、筒部３０が収容部６０の内部に位置してもよい。
【００９２】
次に、図１〜３を参照して、本実施形態に係る保温システム１を更に詳しく説明する。図２及び図３に示すように、保温システム１は、切替部８０を更に備える。
【００９３】
切替部８０は、複数の筒部３０に向かって案内される液体ＬＱの供給元を切り替える。具体的には、切替部８０は、複数の貯留部１０のうち、供給元に設定された貯留部１０から、他の貯留部１０に供給元を切り替える。貯留部１０に貯留された液体ＬＱの温度は、貯留部１０の地表Ｇ１からの深さに応じた温度に変更される。つまり、複数の筒部３０に向かって案内される液体ＬＱの供給元を切替部８０が切り替えることで、複数の筒部３０へ案内される液体ＬＱの温度を変更できる。したがって、複数の筒部３０に案内される液体ＬＱの温度を変更して、育成部２０側の内部の温度を調整できる。この結果、育成部２０側の内部の温度調整が容易となる。
【００９４】
例えば、図３に示すように、切替部８０は、供給元に設定された第１貯留部１０Ａから、第２貯留部１０Ｂに供給元を切り替える。例えば、第１貯留部１０Ａの液体ＬＱの温度は、「２０度」である。第１貯留部１０Ａの液体ＬＱが複数の筒体３１に案内されることで、育成部２０側の温度が「２０度」となる。一方、第２貯留部１０Ｂの液体ＬＱの温度は「１７度」である。第１貯留部１０Ａの液体ＬＱが複数の筒体３１に案内されることで、育成部２０側の温度が「１７度」となる。第２貯留部１０Ｂを液体ＬＱの供給元に切り替えることで、育成部２０側の温度を変更できる。
【００９５】
例えば、切替部８０は、季節に基づいて、供給元に設定された第１貯留部１０Ａから、第２貯留部１０Ｂに供給元を切り替えてもよい。例えば、季節が夏の場合、切替部８０は、供給元に設定された第１貯留部１０Ａから、第３貯留部１０Ｃに供給元を切り替える。例えば、第１貯留部１０Ａの液体ＬＱの温度は、「２０度」である。一方、第３貯留部１０Ｃの液体ＬＱの温度は「１５度」である。つまり、第１貯留部１０Ａの液体ＬＱが複数の筒体３１に案内されることで、育成部２０側の温度が「１５度」となる。したがって、第２貯留部１０Ｂを液体ＬＱの供給元に切り替えることで、育成部２０側の温度を変更できる。この結果、液体ＬＱの供給元を季節に応じて変更し、生物ＬＦを効率良く成長させることができる。
【００９６】
また、図３に示すように、切替部８０は、第１弁体８１Ａと、第１弁体８１Ｂと、第３弁体８１Ｃとを有する。
【００９７】
第１弁体８１Ａは、第１貯留部１０Ａの出口を開閉する。第１弁体８１Ａが第１貯留部１０Ａの出口を開放することで、第１貯留部１０Ａから第１案内部４１Ａに液体ＬＱが流入する。つまり、第１貯留部１０Ａに貯留された液体ＬＱは、複数の筒部３０に案内される。第１弁体８１Ａが第１貯留部１０Ａの出口を閉塞することで、第１貯留部１０Ａから第１案内部４１Ａに液体ＬＱが流入することを抑制する。
【００９８】
第１弁体８１Ｂは、第２貯留部１０Ｂの出口を開閉する。第１弁体８１Ｂが第２貯留部１０Ｂの出口を開放することで、第２貯留部１０Ｂから第１案内部４１Ｂに液体ＬＱが流入する。つまり、第２貯留部１０Ｂに貯留された液体ＬＱは、複数の筒部３０に案内される。第１弁体８１Ｂが第２貯留部１０Ｂの出口を閉塞することで、第２貯留部１０Ｂから第１案内部４１Ｂに液体ＬＱが流入することを抑制する。
【００９９】
第３弁体８１Ｃは、第３貯留部１０Ｃの出口を開閉する。第３弁体８１Ｃが第３貯留部１０Ｃの出口を開放することで、第３貯留部１０Ｃから第１案内部４１Ｃに液体ＬＱが流入する。つまり、第３貯留部１０Ｃに貯留された液体ＬＱは、複数の筒部３０に案内される。第３弁体８１Ｃが第３貯留部１０Ｃの出口を閉塞することで、第３貯留部１０Ｃから第１案内部４１Ｃに液体ＬＱが流入することを抑制する。
【０１００】
なお、第１弁体８１Ａが、第１貯留部１０Ａの出口を開放している場合、第１弁体８１Ｂは第２貯留部１０Ｂの出口を閉塞し、第３弁体８１Ｃは第３貯留部１０Ｃの出口を閉塞する。また、第１弁体８１Ｂが、第２貯留部１０Ｂの出口を開放している場合、第１弁体８１Ａは第１貯留部１０Ａの出口を閉塞し、第３弁体８１Ｃは第３貯留部１０Ｃの出口を閉塞する。また、第３弁体８１Ｃが、第３貯留部１０Ｃの出口を開放している場合、第１弁体８１Ａは第１貯留部１０Ａの出口を閉塞し、第１弁体８１Ｂは第２貯留部１０Ｂの出口を閉塞する。
【０１０１】
引き続き、図１〜図７を参照して、本実施形態の保温システム１を更に詳しく説明する。図１〜図７に示すように、保温システム１は、移動部７０を更に備える。移動部７０は、育成部２０を移動させる。したがって、収容部６０に収容された育成部２０を容易に移動させることができる。この結果、収容部６０内の清掃、及び、育成部２０で育成した生物ＬＦの収穫の際に、育成部２０を容易に移動できる。
【０１０２】
育成部２０は、生物ＬＦの他に、土、又は、水が収容される。つまり、生物ＬＦと土との重み、又は生物ＬＦと水との重みによって、育成部２０の移動は困難である。しかし、育成部２０の重量が増加しても、移動部７０によって育成部２０を移動できる。例えば、育成部２０の重量が増加しても、移動部７０を移動させて、収容部６０内を清掃できる。また、育成部２０の重量が増加しても、移動部７０を移動させて、育成部２０で育成した生物ＬＦを収穫できる。
【０１０３】
更に、育成部２０が収容部６０に収容される場合、作業者が収容部６０の内部で作業することが困難な場合がある。しかし、育成した生物ＬＦの収穫が容易となる位置まで移動部７０が育成部２０を移動させることができる。したがって、収穫が容易な位置で作業者が生物ＬＦを収穫できる。この結果、育成部２０で育成した生物ＬＦの収穫が容易になる。
【０１０４】
図６及び図７に示すように、移動部７０は、載置部７１と、タイヤ７２と、対のレール７３と、連結部７５と、駆動部７６とを有する。
【０１０５】
載置部７１は、育成部２０が載置される。載置部７１は、平板状である。載置部７１は、育成部２０の底部と当接し、育成部２０を支持する。
【０１０６】
タイヤ７２は、転動する。タイヤ７２は、載置部７１を移動させる。具体的には、タイヤ７２は、載置部７１を対のレール７３に沿って移動させる。つまり、タイヤ７２が対のレール７３に沿って移動することで、載置部７１に載置された育成部２０が移動する。
【０１０７】
対のレール７３は、載置部７１を案内する。具体的には、対のレール７３は、タイヤ７２が対のレール７３に沿って移動することで、載置部７１を第１方向Ａ１又は第２方向Ａ２に案内する。対のレール７３は、収容部６０の底面に配置される。
【０１０８】
連結部７５は、互いに隣り合う載置部７１と載置部７１とを連結する。連結部７５は、第１連結部材７５Ａと第２連結部材７５Ｂとを有する。第１連結部材７５Ａは、載置部７１の第１方向Ａ１の端部に位置する。第２連結部材７５Ｂは、載置部７１の第２方向Ａ２の端部に位置する。第１連結部材７５Ａは、互いに隣り合う載置部７１の第２連結部材７５Ｂと連結される。第１連結部材７５Ａと第２連結部材７５Ｂとで互いに隣り合う載置部７１を連結することで、図６に示すように、載置部７１が直列に連結される。したがって、連結された載置部７１を移動させることで、載置部７１に載置された育成部２０を複数移動できる。この結果、載置部７１を１つずつ移動させる手間を抑制できる。
【０１０９】
駆動部７６は、載置部７１を引き寄せる。具体的には、駆動部７６は、載置部７１を第２方向Ａ２側へ引き寄せる。更に具体的には、駆動部７６は連結された載置部７１を第２方向Ａ２側へ引き寄せる。駆動部７６は、例えば、ウインチである。したがって、載置部７１が連結されて、重量が増加しても載置部７１を第２方向Ａ２側へ引き寄せることができる。この結果、複数の育成部２０を容易に移動させることができる。
【０１１０】
駆動部７６は、第３連結部材７６Ａを有する。第３連結部材７６Ａは、第１連結部材７５Ａ、又は、第２連結部材７５Ｂに連結される。第３連結部材７６Ａは、例えば、紐である。例えば、図６に示す第１連結部材７５Ａに第３連結部材７６Ａを連結させる。
【０１１１】
なお、移動部７０は、第１方向Ａ１に側に駆動部７６を更に有していてもよい。第１方向Ａ１側に位置する駆動部７６は、載置部７１を第１方向Ａ１側へ引き寄せる。なお、例えば、収容部６０が傾斜する場合、重力にしたがって、育成部２０を載置した載置部７１が自重で移動してもよい。また、移動部７０は、補助ローラーを有していてもよい。補助ローラーは、収容部６０の側部に当接して載置部７１を案内する。
【０１１２】
次に、図４〜図８を参照して、本実施形態に係る保温システム１を更に詳しく説明する。図８は、本実施形態に係る保温システム１の作業室９０を示す図である。
【０１１３】
図８に示すように、作業室９０には、育成部２０が運搬される。作業室９０に運搬された育成部２０は、作業者によって、生物ＬＦの収穫、生物ＬＦの観察、育成部２０の保守、及び、育成部２０の清掃が行われる。
【０１１４】
移動部７０は、対のレール７３０を更に備える。対のレール７３０は、載置部７１を案内する。図８に示すように、対のレール７３０は、作業室９０に配置される。例えば、育成部２０で育成された生物ＬＦを収穫する場合、収容部６０の蓋部６０Ｂを開放して、収容部６０の内部空間と作業室９０の内部空間とを連通させる。そして、育成部２０を作業室９０まで移動させる。したがって、作業者は、対のレール７３０に沿って載置部７１を移動させつつ、生物ＬＦを収穫できる。作業室９０で育成された生物ＬＦを収穫できる。この結果、育成部２０で育成された生物ＬＦを効率良く収穫できる。
【０１１５】
対のレール７３０は、直線部７３１と、湾曲部７３２と、進路変更部７３３とを有する。
【０１１６】
直線部７３１は、載置部７１を案内する。例えば、直線部７３１は、載置部７１を第１方向Ａ１又は第２方向Ａ２へ案内する。直線部７３１は、湾曲部７３２に接続される。
【０１１７】
湾曲部７３２は、載置部７１を案内する。湾曲部７３２は、第２方向Ａ２から第１方向Ａ１に向けて載置部７１を案内する。つまり、湾曲部７３２によって、載置部７１の進行方向が変更される。例えば、湾曲部７３２によって、載置部７１の移動方向が第２方向Ａ２から第１方向Ａ１に変更される。換言すると、湾曲部７３２は、載置部７１の移動方向を第２方向Ａ２から第１方向Ａ１に変更し、載置部７１を第１方向Ａ１に案内する。
【０１１８】
進路変更部７３３は、載置部７１の進路を変更する。具体的には、進路変更部７３３は、載置部７１の進路を湾曲部７３２から直線部７３１に変更する。つまり、収穫を終えた育成部２０を載置した載置部７１は、直線部７３１に第１方向Ａ１側へ案内される。つまり、載置部７１は、収容部６０に案内される。
【０１１９】
［実施形態２］
次に図２と図９とを参照して、実施形態２の保温システム１を説明する。実施形態２の保温システム１は、収容部６０が地中Ｇ２に位置する点で実施形態１の保温システム１と異なる。以下、実施形態２について、実施形態１と異なる事項について説明し、実施形態１と重複する部分についての説明は割愛する。
【０１２０】
図９は、実施形態２の保温システム１を示す模式図である。図２と図９とに示すように、実施形態２の保温システム１は、貯留部１０と、育成部２０と、筒部３０と、案内部４０と、温度調整部５０と、貯留部５５と、貯留部５６と、収容部６０と、通路３５と、作業室９０と、第１ポンプＰ１と、第２ポンプＰ２とを備える。
【０１２１】
貯留部１０は、液体ＬＱを貯留する。育成部２０は、生物ＬＦを育成する。筒部３０は、液体ＬＱの流路を構成する。案内部４０は、貯留部１０に貯留された液体ＬＱを筒部３０に案内する。温度調整部５０は、貯留部１０に貯留された液体ＬＱの温度を調整する。貯留部５５は、複数の筒部３０から流出した液体ＬＱを貯留する。貯留部５６は、複数の筒部３０から流出した液体ＬＱを貯留する。収容部６０は、育成部２０を収容する。通路３５は、収容部６０と作業室９０とをつなぐ。作業室９０は、育成部２０が運搬される。第１ポンプＰ１は、貯留部１０から流出した液体ＬＱを複数の筒部３０へ向けて移送する。第２ポンプＰ２は、貯留部５５から流出した液体ＬＱを貯留部１０へ向けて移送する。
【０１２２】
図９に示すように、実施形態２の収容部６０は、地中Ｇ２に位置する。つまり、収容部６０の温度を地表Ｇ１から収容部６０の深さに応じた温度とすることができる。したがって、地表Ｇ１からの深さに応じた温度を基準として、収容部６０の温度を調整できる。この結果、収容部６０の温度を容易に調整できる。
【０１２３】
筒部３０は、地中Ｇ２に位置する。つまり、筒部３０が地表Ｇ１に露出しない。したがって、筒部３０を通過する液体ＬＱの温度が外気温と同じ温度になることを抑制できる。この結果、筒部３０を通過する液体ＬＱの温度が変化することを抑制できる。
【０１２４】
案内部４０は、地中Ｇ２に位置する。つまり、案内部４０は、地表Ｇ１に露出しない。したがって、案内部４０によって案内される液体ＬＱの温度が外気温と同じ温度になることを抑制できる。この結果、安定した温度の液体ＬＱを筒部３０に案内できる。
【０１２５】
［実施形態３］
次に図１０と図１１とを参照して、実施形態３の保温システム１を説明する。実施形態３の保温システム１は、収容部６０の内部に育成部２０の列が複数ある点で実施形態１の保温システム１と実施形態２の保温システム１と異なる。以下、実施形態３について、実施形態１及び実施形態２と異なる事項について説明し、実施形態１及び実施形態２と重複する部分についての説明は割愛する。
【０１２６】
図１０は、実施形態３の発明に係る保温システム１の収容部６０を示す図である。図１１は、実施形態３の発明に係る保温システム１の作業室９０を示す図である。図１０では、直列に連結された育成部２０の列は、２列である。図１１では、作業室９０に配置された対のレール７３０が示される。
【０１２７】
図１０に示す移動部７０は、複数の対のレール７３を有する。対のレール７３は、載置部７１を案内する。複数の対のレール７３は、収容部６０の底面に配置される。複数の対のレール７３の各々には、直列に連結された載置部７１が位置する。直列に連結された載置部７１は、対応する対のレール７３に沿って移動する。つまり、収容部６０の中で、載置部７１と隣り合う列の載置部７１とが接触しない。したがって、載置部７１と隣り合う列の載置部７１とが接触して、載置部７１の移動が規制されることを抑制できる。この結果、収容部６０の内部で載置部７１を容易に移動できる。
【０１２８】
また、図１１に示すように、実施形態２の作業室９０には、対のレール７３０が配置される。実施形態２の移動部７０は、Ｕ字状の対のレール７３０を更に備える。対のレール７３０は、載置部７１を案内する。具体的には、対のレール７３０は、作業室９０に位置する載置部７１を案内する。対のレール７３０は、第１直線部７３５と、第２直線部７３６と、湾曲部７３７とを有する。
【０１２９】
第１直線部７３５は、載置部７１を案内する。第１直線部７３５は、湾曲部７３７に接続される。例えば、湾曲部７３７によって第１直線部７３５に案内された載置部７１を、第１直線部７３５は第１方向Ａ１へ案内する。換言すれば、第１直線部７３５は、収容部６０の内部に載置部７１を案内する。例えば、第１直線部７３５は、収容部６０から作業室９０に案内された載置部７１を第２方向Ａ２へ案内する。
【０１３０】
第２直線部７３６は、載置部７１を案内する。第２直線部７３６は、湾曲部７３７に接続される。例えば、湾曲部７３７によって第２直線部７３６に案内された載置部７１を、第２直線部７３６は第１方向Ａ１へ案内する。換言すれば、第２直線部７３６は、収容部６０の内部に載置部７１を案内する。例えば、第２直線部７３６は、収容部６０から作業室９０に案内された載置部７１を第２方向Ａ２へ案内する。
【０１３１】
湾曲部７３７は、載置部７１を案内する。湾曲部７３７は、第２方向Ａ２から第１方向Ａ１に向けて載置部７１を案内する。また、湾曲部７３７は、第１方向Ａ１から第２方向Ａ２に向けて載置部７１を案内する。つまり、湾曲部７３７によって、載置部７１の進行方向が変更される。例えば、湾曲部７３７によって、載置部７１の移動方向が第２方向Ａ２から第１方向Ａ１に変更される。また、例えば、湾曲部７３７によって、載置部７１の移動方向が第２方向Ａ２から第１方向Ａ１に変更される。換言すると、湾曲部７３７は、載置部７１の移動方向を変更し、載置部７１を第１直線部７３５又は第２直線部７３６に案内する。
【０１３２】
例えば、収容部６０から作業室９０まで移動した載置部７１は、作業室９０の対のレール７３０に沿って移動する。つまり、載置部７１は、作業室９０に配置された対のレール７３０に沿って、Ｕ字状に移動する。更に、Ｕ字状の対のレール７３に沿って載置部７１が移動することで、載置部７１は再び収容部６０の内部に収容される。載置部７１をＵ字状の対のレール７３０に沿って移動させることで、例えば、収穫が終了していない育成部２０を載置した載置部７１を作業室９０へ移動させつつ、収穫が終了した育成部２０を載置した載置部７１を収容部６０に収容することができる。
【０１３３】
［実施形態４］
次に図１２〜図１４を参照して、実施形態４の保温システム１を説明する。実施形態４の保温システム１は、貯留部１０、及び、筒部３０を備えず、収容部６０が地中Ｇ２に位置する点で実施形態１の保温システム１〜実施形態３の保温システム１と異なる。以下、実施形態４について、実施形態１〜実施形態３と異なる事項について説明し、実施形態１〜実施形態３と重複する部分についての説明は割愛する。
【０１３４】
図１２は、本発明の実施形態４に係る保温システム１を模式的に示す図である。図１３は、実施形態４に係る保温システム１の収容部６０を示す図である。図１２に示すように、実施形態４に係る保温システム１は、育成部２０と、収容部６０と、移動部７０と、通路３５と、作業室９０と、加熱部９１と、導入部９２と、採光部９３と、第１導光部９４と、熱輻射部材９５と、第２導光部９６とを備える。
【０１３５】
育成部２０は、生物ＬＦを育成する。収容部６０は、育成部２０を収容する。移動部７０は、育成部２０を移動させる。通路３５は、収容部６０と作業室９０とをつなぐ。作業室９０は、育成部２０が運搬される。
【０１３６】
図１２と図１３とに示す収容部６０は、本体部６０Ａと、蓋部６０Ｂとを有する。本体部６０Ａは、発光部６３と、断熱部材６４と、反射部材６５とを有する。
【０１３７】
発光部６３は、光を発射する。具体的には、発光部６３は、第１導光部９４から導かれた光を発射する。また、発光部６３は、第２導光部９６に導かれた光を発射する。発光部６３は、例えば反射部材である。つまり、発光部６３は、第１導光部９４によって発光部６３に導かれた光を育成部２０に向けて反射する。また、発光部６３は、第２導光部９６によって発光部６３に導かれた光を育成部２０に向けて反射する。発光部６３は、収容部６０の天井部分に配置される。
【０１３８】
断熱部材６４は、熱の移動を妨げる。断熱部材６４は、例えば、グラスウールである。断熱部材６４は、熱伝導率の低い素材であることが好ましい。断熱部材６４によって、収容部６０内の温度変化を抑制できる。
【０１３９】
反射部材６５は、発光部６３から発射された光を反射する。具体的には、反射部材６５は、発光部６３から出射された光が発光部６３に向かって戻ることを抑制する。つまり、反射部材６５は、発光部６３から発射された光を育成部２０に反射する。したがって、育成部２０に光を効率良く照射できる。この結果、育成部２０で育成している植物を効率良く成長させることができる。反射部材６５は、鏡面であることが好ましい。
【０１４０】
加熱部９１は、木材を加熱して、木材を燃やす。加熱部９１は、地表Ｇ１に配置される。加熱部９１の内部には、木材が載置される。加熱部９１によって加熱された木材は、二酸化炭素を発生させる。発生した二酸化炭素は、導入部９２に案内される。木材を加熱することで、加熱部９１は熱輻射部材９５を加熱する。
【０１４１】
導入部９２は、加熱部９１で発生した二酸化炭素を収容部６０に導入する。導入部９２は、例えば、ファンと配管とを有する。ファンの回転によって、加熱部９１で発生した二酸化炭素は配管を通って収容部６０まで導入される。したがって、育成部２０で育成される生物ＬＦが植物の場合、植物の成長を促すことができる。この結果、効率よく植物を成長させることができる。なお、加熱部９１は、地中Ｇ２に配置されてもよい。
【０１４２】
採光部９３は、太陽光を採光する。採光部９３は、反射部材を有する。反射部材は、例えば、パラボラ状の凹面鏡である。パラボラ状の凹面鏡は、太陽の位置に追従して向きを変更する。
【０１４３】
第１導光部９４は、採光部９３が採光した太陽光を発光部６３に導く。第１導光部９４は、例えば、光ファイバーである。光ファイバーは、採光部９３が採光した光を反射し、発光部６３へ導く。第１導光部９４によって発光部６３に導かれた太陽光は、発光部６３から育成部２０に向けて発射される。
【０１４４】
熱輻射部材９５は、電磁波を発生する。具体的には、熱輻射部材９５は、加熱によって電磁波を発生する。電磁波は、例えば、光である。つまり、熱輻射部材９５は、熱輻射光源である。よって、熱輻射部材９５は、光を出射する。
【０１４５】
第２導光部９６は、熱輻射部材９５が出射した光を発光部６３に導く。第２導光部９６は、例えば、光ファイバーである。光ファイバーは、熱輻射部材９５が発射した光を反射し、発光部６３へ導く。第２導光部９６によって発光部６３に導かれた光は、発光部６３から育成部２０に向けて発射される。
【０１４６】
次に、図１４を参照して、実施形態４に係る収容部６０を更に詳しく説明する。図１４は、実施形態４に係る複数の収容部６０を備える保温システム１を示す図である。図１４には、地中Ｇ２に位置する複数の収容部６０が示される。したがって、複数の収容部６０の温度を地表Ｇ１から収容部６０の深さに応じた温度とすることができる。この結果、複数の収容部６０の温度の調整が容易となる。
【０１４７】
また、複数の収容部６０の各々は、複数の育成部２０を収容する。したがって、収容部６０の数が増加する程、育成する生物ＬＦの数が増加する。この結果、生物ＬＦの収穫数を増加させることができる。
【０１４８】
［実施形態５］
次に図３と図１５とを参照して、実施形態５の保温システム１を説明する。実施形態５の保温システム１は、育成部２０が水槽である点で実施形態１の保温システム１〜実施形態４の保温システム１と異なる。以下、実施形態５について、実施形態１〜実施形態４と異なる事項について説明し、実施形態１〜実施形態４と重複する部分についての説明は割愛する。
【０１４９】
実施形態５の保温システム１は、複数の貯留部１０と、育成部２０と、案内部４０と、温度調整部５０と、切替部８０と、作業室９０と、第１ポンプＰ１と、第２ポンプＰ２と、濾過部Ｆを備える。
【０１５０】
複数の貯留部１０の各々は、液体ＬＱを貯留する。液体ＬＱは、真水、又は、海水であってもよい。また、図３に示すように、複数の貯留部１０の各々は、地表Ｇ１から所定の深さＤに位置する。案内部４０は、貯留部１０と育成部２０とを接続する。育成部２０は、生物ＬＦを育成する。温度調整部５０は、液体ＬＱの温度を調整する。作業室９０は、生物ＬＦが運搬される。
【０１５１】
切替部８０は、育成部２０に向かって案内される液体ＬＱの供給元を切り替える。具体的には、切替部８０は、複数の貯留部１０のうち、供給元に設定された貯留部１０から、他の貯留部１０に供給元を切り替える。貯留部１０に貯留された液体ＬＱの温度は、貯留部１０の地表Ｇ１からの深さに応じた温度に変更される。つまり、育成部２０に向かって案内される液体ＬＱの供給元を切替部８０が切り替えることで、育成部２０へ案内される液体ＬＱの温度を変更できる。したがって、育成部２０に案内される液体ＬＱの温度を変更して、育成部２０の温度を調整できる。この結果、育成部２０の温度調整が容易となる。
【０１５２】
第１ポンプＰ１は、液体ＬＱを移送する。具体的には、貯留部１０から流出した液体ＬＱを、第１ポンプＰ１は育成部２０へ向けて移送する。
【０１５３】
第２ポンプＰ２は、液体ＬＱを移送する。具体的には、育成部２０から流出した液体ＬＱを、第２ポンプＰ２は貯留部１０へ向けて移送する。
【０１５４】
実施形態５の育成部２０は、魚類を育成する。また、育成部２０は、液体ＬＱを貯留する。育成部２０は、例えば、水槽である。水槽は、例えば、矩形状である。また、水槽の形状は、例えば、円筒形状であってもよい。また、水槽の形状は、環状であってもよい。水槽の大きさは、魚類の大きさに応じた大きさである。育成部２０は、地中Ｇ２に位置する。
【０１５５】
濾過部Ｆは、液体ＬＱを濾過する。具体的には、濾過部Ｆは、濾過部Ｆを通過する液体ＬＱを濾過する。
【０１５６】
次に、図１５と図１６とを参照して、実施形態５の育成部２０を詳しく説明する。図１５は、本発明の実施形態５に係る保温システム１を模式的に示す図である。図１６は、実施形態５に係る保温システム１の育成部２０を拡大して示す図である。実施形態５に示す育成部２０は、複数の支持部２０１と、第１配管２０２と、第２配管２０３と、第３配管２０４と、第５配管２０５とを含む。
【０１５７】
複数の支持部２０１は、育成部２０の天井部分を支持する。
【０１５８】
第１配管２０２は、育成部２０と作業室９０とを連結する。具体的には、第１配管２０２は、育成部２０と作業室９０とを連通させる。育成部２０と作業室９０とを連通させることで第１配管２０２は、育成部２０の魚類を育成部２０から作業室９０へ案内する。例えば、育成部２０から作業室９０まで液体ＬＱが移動する際の水圧を利用して、魚類を育成部２０から作業室９０へ案内する。
【０１５９】
第１配管２０２は、蓋部２０７を有する。蓋部２０７は、第１配管２０２を開閉する。蓋部２０７が第１配管２０２を開放することで、第１配管２０２が育成部２０と作業室９０とが連通する。蓋部２０７が第１配管２０２を閉塞することで、育成部２０と作業室９０とが非連通となる。
【０１６０】
第２配管２０３は、育成部２０へ飼料を案内する。第２配管２０３は、一方の端部が地上に位置する。第２配管２０３は、他方の端部が育成部２０の内部に位置する。育成部２０の魚類に対して給餌する場合、第２配管２０３の一方の端部から飼料を入れる。そして、飼料は、他方の端部に案内される。更に、第２配管２０３の他方の端部から育成部２０の内部へ飼料が放出される。したがって、地上から地中Ｇ２の育成部２０にいる魚類に給餌できる。この結果、地中Ｇ２の育成部２０まで作業者がいって魚類に給餌する手間を抑制できる。
【０１６１】
第３配管２０４は、育成部２０に酸素を案内する。
【０１６２】
第５配管２０５は、地表Ｇ１と育成部２０とを連結する。第５配管２０５は、地上と育成部２０との連絡通路である。例えば、作業者は、第５配管２０５から育成部２０の内部へ到達できる。
【０１６３】
次に、図１７を参照して、第２配管２０３を更に詳しく説明する。図１７は、実施形態５に係る保温システム１の第２配管２０３を示す図である。
【０１６４】
育成部２０の内部に位置する第２配管２０３の端部分は、湾曲している。第２配管２０３の端部分は、給餌口２０８を有する。給餌口２０８は、飼料を育成部２０の内部に排出する。
【０１６５】
給餌口２０８の外面は、鑢部分を有する。給餌口２０８の外面に鑢部分を有することで、魚類の歯を削ることができる。この結果、育成している魚類が、他の魚類を傷つけることを抑制できる。例えば、歯が伸び続ける魚類を、育成部２０で複数育成する場合、魚類が他の魚類に噛みつくことがある。しかし、給餌口２０８の外面に鑢部分を配置することで、給餌の際に魚類の歯が鑢部分に接触し、魚類の歯が削られる。したがって、魚類の歯が、他の魚類に接触した際に、魚類に傷をつけにくい。この結果、魚類が他の魚類を傷つけることを抑制しつつ、複数の魚類を効率良く育成できる。
【０１６６】
育成部２０は、光源２０６を更に有する。光源２０６は、光を出射する。光源２０６は、第２配管２０３に固定される。光源２０６は、給餌口２０８を照らす。光源２０６が給餌口２０８を照らすことで、給餌口２０８から出る飼料を魚類が認識できる。この結果、魚類の給餌を容易にできる。なお、育成部２０は、地中Ｇ２に位置する空間に配置されてもよい。
【０１６７】
［実施形態６］
次に図１８を参照して、実施形態６の保温システム１を説明する。実施形態６の保温システム１は、散水部８５を有する点で実施形態１の保温システム１〜実施形態５の保温システム１と異なる。以下、実施形態６について、実施形態１〜実施形態５と異なる事項について説明し、実施形態１〜実施形態５と重複する部分についての説明は割愛する。
【０１６８】
図１８は、本発明の実施形態６の保温システム１を模式的に示す図である。実施形態６の保温システム１は、複数の貯留部１０と、育成部２０と、筒部３０と、案内部４０と、温度調整部５０と、貯留部５５と、収容部６０と、切替部８０と、散水部８５と、シート８６と、第１ポンプＰ１と、第２ポンプＰ２とを備える。
【０１６９】
複数の貯留部１０の各々は、液体ＬＱを貯留する。育成部２０は、生物ＬＦを育成する。筒部３０は、液体ＬＱの流路を構成する。案内部４０は、貯留部１０に貯留された液体ＬＱを筒部３０に案内する。温度調整部５０は、貯留部１０に貯留された液体ＬＱの温度を調整する。貯留部５５は、複数の筒部３０から流出した液体ＬＱを貯留する。収容部６０は、育成部２０を収容する。
【０１７０】
切替部８０は、複数の筒部３０に向かって案内される液体ＬＱの供給元を切り替える。また、切替部８０は、散水部８５に向かって案内される液体ＬＱの供給元を切り替える。
【０１７１】
第１ポンプＰ１は、貯留部１０から流出した液体ＬＱを複数の筒部３０へ向けて移送する。第２ポンプＰ２は、貯留部５５から流出した液体ＬＱを貯留部１０へ向けて移送する。
【０１７２】
実施形態６の保温システム１の収容部６０の形状は、断面視において、略三角形である。収容部６０は、貯留部１０から貯留部５５に向かう方向に傾斜する。また、収容部６０の天井部分は、開放されている。
【０１７３】
シート８６は、収容部６０の天井部分を覆う。シート８６は、水を通さない。
【０１７４】
散水部８５は、液体ＬＱを散水する。散水部８５は、例えば、スプリンクラーである。スプリンクラーは、地表Ｇ１に位置する。スプリンクラーは、地表Ｇ１において、シート８６に向かって液体ＬＱを散水する。散水部８５によって散水された液体ＬＱは、気化する。したがって、液体ＬＱの気化によって、収容部６０付近の温度を調整できる。この結果、収容部６０付近の温度を調整することで、収容部６０の温度を調整できる。
【０１７５】
以上、図面を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【０１７６】
（１）実施形態１の保温システム１では、１つ収容部６０を例に説明したが、保温システム１の収容部６０は、１つに限らない。保温システム１は、複数の収容部６０を有してもよい。
【０１７７】
（２）実施形態１の保温システム１では、移動部７０は、直線部７３１と、湾曲部７３２と、進路変更部７３３とを有していたが、これに限らない。移動部７０は、直線部７３１のみを有していてもよい。
【０１７８】
（３）実施形態１の切替部８０は、第１弁体８１Ａ〜第３弁体８１Ｃを有していたが、これに限らない。例えば、切替部８０は、第２弁体Ａ、第２弁体Ｂ、第２弁体Ｃを有していてもよい。
【０１７９】
第２弁体Ａは、第１貯留部１０Ａの入口を開閉する。第２弁体Ａが第１貯留部１０Ａの入口を開放することで、第９案内部４９Ａから第１貯留部１０Ａに液体ＬＱが流入する。つまり、液体ＬＱは、第１貯留部１０Ａに貯留される。第２弁体Ａが第１貯留部１０Ａの入口を閉塞することで、第９案内部４９Ａから第１貯留部１０Ａに液体ＬＱが流入することを抑制する。
【０１８０】
第２弁体Ｂは、第２貯留部１０Ｂの入口を開閉する。第２弁体Ｂが第２貯留部１０Ｂの入口を開放することで、第９案内部４９Ｂから第２貯留部１０Ｂに液体ＬＱが流入する。つまり、液体ＬＱは、第２貯留部１０Ｂに貯留される。第２弁体Ｂが第２貯留部１０Ｂの入口を閉塞することで、第９案内部４９Ｂから第２貯留部１０Ｂに液体ＬＱが流入することを抑制する。
【０１８１】
第２弁体Ｃは、第３貯留部１０Ｃの入口を開閉する。第２弁体Ｃが第３貯留部１０Ｃの入口を開放することで、第９案内部４９Ｃから第３貯留部１０Ｃに液体ＬＱが流入する。つまり、液体ＬＱは、第３貯留部１０Ｃに貯留される。第２弁体Ｃが第３貯留部１０Ｃの入口を閉塞することで、第９案内部４９Ｃから第３貯留部１０Ｃに液体ＬＱが流入することを抑制する。
【０１８２】
（４）実施形態６の保温システム１は、通路３５と、作業室９０とを更に有していてもよい。
【０１８３】
（５）本願は、更に以下の付記を開示する。なお、以下の付記は本発明を限定するものではない。
【０１８４】
（付記）
育成部２０の温度の調整を地中Ｇ２に位置する貯留部１０の液体ＬＱで行う。地中Ｇ２に位置する貯留部１０に貯留された液体ＬＱの温度は、地表Ｇ１からの位置によって異なる。また、地中Ｇ２に位置する貯留部１０の液体ＬＱの温度は安定している。したがって、地温を利用して育成部２０の温度を調整できる。この結果、生物ＬＦを飼育する場合にかかる費用を抑制できる。つまり、育成部２０の加温、及び、冷却にかかる費用を抑制できる。そして、保温システム１を使用して、持続的な産業に結びつけることができる。
【０１８５】
例えば、生物ＬＦが昆虫の場合、育成部２０の温度を調整することで、冬眠、成長、及び、産卵のサイクルを確立できる。例えば、地表Ｇ１からの位置が５ｍとなる貯留部１０に貯留される液体ＬＱは、年間を通じて１５度ほどの温度である。したがって、夏季において育成部２０の冷却用に使用できる。
【０１８６】
なお、育成部２０の加温時には、温めた液体ＬＱを案内部４０に流してもよい。また、育成部２０の冷却時には、クーリング用の物質を同時に案内部４０に流してもよい。
【０１８７】
移動部７０によって育成部２０を移動できる。したがって、育成部２０で育成した生物に対して作業者が育成部２０の周りに行かなくてもよい。育成部２０を載置した載置部７１が作業室９０に案内される。したがって、作業室９０のような広い空間で作業者が作業を行える。また、作業後も、移動部７０によって育成部２０を収容部６０の内部に移動させることができる。例えば、昆虫を収穫する場合、昆虫を育成している育成部２０を作業室９０に移動させる。
【０１８８】
収容部６０の大きさは、育成される生物ＬＦを育成するのに適した大きさである。なお、収容部６０の大きさは、保守点検のために作業者が載置部７１に乗って移動できる大きさであってもよい。
【０１８９】
切替部８０は液体ＬＱの供給元を切り替える。したがって、夏には育成部２０を冷却し、冬には育成部２０を加温できる。この結果、生物ＬＦの成長をコントロールできる。例えば、昆虫を通年飼育できる。
【０１９０】
また、貯留部１０では、微生物が育成されてもよい。微生物は、例えば、オーランチオキトリウムである。また、貯留部１０では、藻類が育成されてもよい。藻類は、例えば、榎本藻である。また、保温システム１は、案内部４０が液体ＬＱとともに藻類を案内する場合、藻類を案内するための案内部４０を更に有していてもよい。
【０１９１】
また、貯留部１０の温度を調整する温度調整部５０の熱源は、地中Ｇ２から湧き出た温水であってもよい。また、温度調整部５０は、木材を燃焼させて貯留部１０の液体ＬＱを加熱してもよい。
【０１９２】
収容部６０の本体部６０Ａは、蓋部６０Ｂによって閉塞される。したがって、収容部６０の内部空間は、外界と遮断される。したがって、生物ＬＦが植物の場合、交雑することを抑制できる。
【０１９３】
筒部３０は、地面に敷き詰められる。筒部３０は、リサイクルペットボトルを利用して作られる。筒部３０と地表Ｇ１との間には、シートが位置する。筒部３０で、育成部２０の四方を覆う。育成部２０は、並べて配置される。育成部２０は、電車のように何台も鎖状に連結される。
【０１９４】
作業室９０には、温度調整部が配置されていてもよい。
【０１９５】
地中Ｇ２の貯留部１０には、あらかじめ地下水を貯留してもよい。また、地中Ｇ２の貯留部１０は、雨水を貯留してもよい。
【０１９６】
貯留部１０に貯留された液体ＬＱは、第１ポンプＰ１によって、ペットボトルのような物体で構成された筒部３０に適量ずつ流入させる。そして、筒部３０から流出した液体ＬＱを貯留部５５又は貯留部５６で回収する。
【０１９７】
筒部３０は、透明である。筒部３０は透明であるため、筒部３０の内部に液体ＬＱを入れても、筒部３０は太陽光を透過する。つまり、筒部３０を多段に重ねて配置できる。
【０１９８】
また、貯留部１０と筒部３０とは高さが異なってもよい。案内部４０によって案内される液体は、重力で貯留部１０から筒部３０まで流れる。したがって、第１ポンプＰ１の出力を小さくできる。
【０１９９】
筒部３０は、複数の筒体３１を有する。複数の筒体３１は、縦に連結される。つまり、ペットボトルのような筒体３１を縦に連結していけば、液体ＬＱの入り口が複数個になるが、液体ＬＱの流れる流路が増えるため、育成部２０の温度を調整する際の効率が向上する。また、ペットボトルのような筒体３１の中に、蓄熱性の高い部材を配置してもよい。蓄熱性の高い部材は、例えば、岩石である。例えば、蓄熱した岩石が配置された筒体３１の内部を、液体ＬＱが通ることで液体ＬＱの温度が調整される。
【０２００】
また、筒部３０の内部で魚類のような生物ＬＦを育成してもよい。
【０２０１】
また、筒部３０と筒部３０との間に、緩衝部材を配置してもよい。緩衝部材は、例えば、気泡を含んだポリスチレンである。例えば、地震の際に、筒部３０と筒部３０とが接触すること抑制できる。
【０２０２】
また、筒部３０の形状を変更してもよい。複数の筒部３０は、複数の筒体３１で構成されているため、組み換えが容易である。したがって、筒部３０の設置コストや耐久性を考えてベストな組み合わせを選ぶことができる。例えば、収容部６０の天井部分を筒部３０が覆わないようにしてもよい。例えば、収容部６０の上部又は側面をシート８６で覆ってもよい。シート８６は、例えば、耐水ビニールである。また、シート８６に勾配をつけて筒部３０に取付け、シート８６の上を液体ＬＱが流れるようにしてもよい。また、シート８６を複数枚重ねてシート８６とシート８６との間に、液体ＬＱを霧状にして散布してもよい。
【０２０３】
また、育成部２０の温度を目的の温度とするため、筒部３０に流れる液体ＬＱの量を変更してもよい。なお、筒体３１は、筒状の構造体であればよい。
【０２０４】
また、シート８６は、太陽光を透過しなくてもよい。太陽光を透過する必要がない場合、筒部３０に光を透過しない遮光部材を取りつけてもよい。遮光部材は、筒部３０を覆う。また、液体ＬＱを着色してもよい。例えば、液体ＬＱを黒色に着色してもよい。
【０２０５】
植物を地中Ｇ２で育てる。例えば、地表Ｇ１から５ｍの位置の温度は、通年１５度から１７度までの温度である。つまり、収容部６０を地表Ｇ１から５ｍの位置に配置する場合、安定した温度で生物ＬＦを育成できる。
【０２０６】
また、収容部６０の大きさは、育成部２０で育成する植物が収穫される時の大きさと同程度である。この結果、不要な空間を温度調整することがなく、収容部６０の温度調整が容易となる。
【０２０７】
また、収容部６０は、蓋部６０Ｂによって開閉される。例えば、蓋部６０Ｂが閉塞状態となることで、植物が外界と遮断される。したがって、植物に、害虫及びウイルスが付着することを抑制できる。この結果、植物を容易に管理できる。
【０２０８】
また、蓋部６０Ｂを開放することで、収容部６０の温度を低下させることができる。なお、収容部６０の温度を低下させる場合、作業室９０から収容部６０に向けて作業室９０の空気を送ってもよい。
【０２０９】
収容部６０の内面６１は、反射部材６５で覆われていてもよい。反射部材６５は、例えば、アルミニウムである。反射部材６５は、光を反射する素材であればよい。反射部材６５で収容部６０の内面６１を覆うことで、反射部材６５は光を育成部２０へ反射できる。この結果、植物が効率的に光合成できる。
【０２１０】
発光部６３から発射される光で植物が光合成する。具体的には、植物の光合成に必要な光は、太陽光を集光し光ファイバーで育成部２０に伝送される。また、植物の光合成に必要な光は、熱輻射光源から発射された光を光ファイバーで育成部２０に伝送される。熱輻射光源は、熱エネルギーを可視光及び植物の育成に有用な波長の電磁波に変換する。この結果、植物の育成で発生する費用を抑制できる。なお、発光部６３は、収容部６０に収容された育成部２０に対応する位置にされる。具体的には、発光部６３は、育成部２０に光が等しく届くように、収容部６０に配置される。
【０２１１】
太陽光が弱い場合、熱輻射部材９５の光を発光部６３に導光できる。熱輻射部材９５は、熱エネルギーを可視光及び植物の成長に有用な周波の電磁波に変換できる。そして、光を発光部６３まで導光できる。
【０２１２】
また、導入部９２は、加熱された空気と加熱された空気に含まれる二酸化炭素を収容部６０に導入する。したがって、収容部６０を加温できる。また、断熱部材６４によって断熱された収容部６０を加温するため、効率良く加温できる。更に、収容部６０に二酸化炭素を導入するため、二酸化炭素を空気中に配置することを抑制できる。つまり、二酸化炭素を空気中に排出することを抑制しつつ、植物を育成できる。
【０２１３】
育成部２０は、移動部７０の載置部７１に載置される。載置部７１と載置部７１とは、連結部７５によって連結される。例えば、育成部２０で育成した植物を収穫する場合、収容部６０の第２方向Ａ２側に配置された駆動部７６が載置部７１を作業室９０へ引っ張る。そして、育成部２０を載置した載置部７１が作業室９０に移動する。また、育成部２０に作付けされた植物を収容部６０の内部へ移動させる場合、収容部６０の第１方向Ａ１側に配置された駆動部７６が作業室９０から収容部６０の内部に載置部７１を引っ張る。なお、植物の育成状況を確認する場合も、駆動部７６によって育成部２０を載置した載置部７１を移動させる。したがって、植物の作付け、植物の確認、及び、植物の収穫する際に、収容部６０の内部を作業者が移動しなくてよい。この結果、植物に対する作業を行う際の作業者の負担を軽減できる。
【０２１４】
貯留部１０は、液体ＬＱを貯留する。液体ＬＱには、肥料が含まれる。案内部４０は、肥料が含まれた液体ＬＱを育成部２０へ案内する。この結果、収容部６０に収容された育成部２０に肥料を容易に補給できる。また、収容部６０を傾斜させて、液体ＬＱを流入させることで、液体ＬＱが傾斜の上方から下方に流れ、収容部６０を清掃できる。
【０２１５】
保温システム１は、山間部に配置されることが好ましい。例えば、山間部の木材を加熱部９１で加熱できる。つまり、山間部に保温システム１を配置する場合、熱輻射光源に対する熱エネルギーの供給元として山間部の木材を用いることができる。また、加熱部９１は、バイオマス発電機を含んでもよい。また、燃料とする木材である樹木は、山間部に植えて育成してもよい。また、木材となる樹木を植える場合、樹木と樹木との間隔を狭めて、植林する。また、植林と伐採とを繰返して、木材を確保できる。
【０２１６】
また、山間部に保温システム１を配置する場合、近隣にある木材を使用できるため、木材の運送コストを抑制できる。
【０２１７】
また、保温システム１は、加熱部９１が木材を加熱し、木材が燃焼するときに発生した二酸化炭素を収容部６０へ導入できる。植物は、光合成の際に二酸化炭素を使用する。二酸化炭素を収容部６０に導入することで、植物の成長を促すことができる。二酸化炭素を収容部６０に導入することで、二酸化炭素を収容部６０に導入しない場合と比較して、植物の収穫量が２５％〜３０％ほど多くなる。また、加温された空気とともに二酸化炭素を収容部６０に導入するため、収容部６０は、加温される。
【０２１８】
保温システム１を山間部に配置することで、山間部における林業が活性化する。つまり、過疎化した山間部でも産業として自立できる。また、林業の活性化によって、放棄された山林を管理できる。この結果、森林が本来持っている温暖化防止効果を生かすことができる。
【０２１９】
保温システム１によれば、設置コストを抑制しつつ、森林を保全できる。更に、保温システム１によれば、植物も育成できる。また、保温システム１によれば、植物の育成にかかる費用を抑制しつつ、植物の生産効率を向上できる。また、保温システム１によれば、自然の循環サイクルを利用し、環境を保全しつつ効率的に作物を生産できる。
【０２２０】
保温システム１によれば、作物の生育に必要な温度を維持するための空調設備を配置する必要がない。つまり、化石燃料、及び、大型の発電施設が必要とならない。
【０２２１】
保温システム１によれば、栽培スペースを確保する場合にビニールハウス設置、及び、作業スペースを確保するために発生する費用を抑制できる。
【０２２２】
保温システム１によれば、収容部６０の温度を維持するための費用を抑制できる。
【０２２３】
保温システム１によれば、育成部２０を地上に設置する場合の費用を抑制できる。
【０２２４】
保温システム１によれば、収容部６０に収容された育成部２０で昆虫と昆虫の餌の植物とを同時に育ててもよい。
【０２２５】
保温システム１によれば、また、地中Ｇ２に複数の収容部６０を配置することで、地上で植物を育成する場合と比較して収穫量を多くすることができる。
【０２２６】
保温システム１によれば、魚類を育成する際に発生する費用を抑制できる。具体的には、例えば、養殖スペースである育成部２０は、地表Ｇ１から「５ｍ」となる位置に配置される。例えば、日本の本州では、地表Ｇ１から「５ｍ」となる位置に育成部２０が配置されることで、育成部２０の温度は年間を通じて「１５度から１７度以上」で保たれる。なお、緯度によって差があるため、緯度に応じて育成部２０の位置を変更してもよい。育成部２０の温度が年間を通じて１５度から１７度以上で保たれることを利用して、育成部２０の水温を調整できる。また、育成部２０の液体ＬＱを飼育水と記載する場合がある。飼育水は、真水、又は、海水であり得る。この結果、地下の養殖スペースである育成部２０で、育成部２０の温度を調整する費用を抑制しつつ、魚類を育成できる。
【０２２７】
また、地中Ｇ２に育成部２０を配置できるため、地上で育成部２０を配置する場合と比較して、育成部２０の大きさを自由に選択できる。例えば、地上に育成部２０を配置する場合と比較して、地中Ｇ２では大きな育成部２０を配置できるため、育成部２０で育成する魚類を適正な密度で飼育できる。つまり、育成部２０の容量に対して魚類が過密な状態にならないように、魚類を育成できる。したがって、育成部２０の大きさに応じて、魚類の密度を変更できる。この結果、育成している魚類がストレスを感じることを軽減できる。例えば、ストレスによって、魚類が噛み合うことを抑制できる。
【０２２８】
地中Ｇ２の育成部２０で育成している魚類に対する給餌は、第２配管２０３を通して行う。第２配管２０３には、飼料が投入される。また、育成部２０で育成している魚類の飼料は、粘性を有する。飼料は、練り餌である。また、第２配管２０３から育成部２０へ飼料を案内する場合は、給餌口２０８から飼料が少しずつ出るように、飼料を育成部２０に送る。飼料が給餌口２０８から出るため、魚類が餌料を食べるときに、給餌口２０８の外面の鑢部分と魚類の歯が接触する。したがって、魚類の歯が磨耗する。この結果、魚類の歯を歯きりする手間を抑制できる。なお、第２配管２０３には、光源２０６が配置されるため、育成部２０で育成される魚類を集めることができる。
【０２２９】
なお、作業者が地下の養殖スペースである育成部２０に下りるための通路を更に設けてもよい。また、育成部２０は、撮像部を有していてもよい。撮像部は、例えば、カメラである。撮像部は、魚類を撮像する。撮像部は、魚類を撮像して、画像又は動画を生成する。撮像部によって、魚類の育成状態を監視できる。作業室９０に表示部が配置される場合、撮像部が生成した画像又は動画は、表示部に表示される。つまり、作業者が魚類の育成状態を遠隔地から確認できる。また、成長した魚類を作業室９０に出すときは水圧を利用して飼育水とともに運搬する。
【０２３０】
保温システム１では、高低差を利用するため、最も高い位置に貯留部１０が配置される。そして、貯留部１０よりも下方に育成部２０が配置される。更に、育成部２０よりも下方に作業室９０が配置される。なお、育成部２０よりも下方に育成部２０から流出した液体ＬＱを貯留する貯留部を更に配置してもよい。また、育成部２０に酸素を共有する第３配管２０４は、地表Ｇ１から地中Ｇ２の育成部２０へ延設されている。
【０２３１】
また、保温システム１では、複数の貯留部１０は、地表Ｇ１からの深さが互いに異なる。つまり、複数の貯留部１０の各々で貯留される液体ＬＱの温度は、異なる。したがって、互いに温度の異なる液体ＬＱを貯留した複数の貯留部１０を利用して、魚類の育成に必要な温度を保つことができる。一般的に一番深い位置に配置された貯留部１０に貯留された液体ＬＱの温度が高い。つまり、一番深い位置に配置された貯留部１０に貯留された液体ＬＱを育成部２０へ移動させれば、水温を容易に調整できる。
【０２３２】
また、地上で生物ＬＦを育成してもよい。地上で育成する生物ＬＦは、例えば、昆虫である。地上で育成する生物ＬＦは、育成部２０で育成する生物ＬＦの餌である。この結果、生物ＬＦの飼料に係る費用を抑制できる。また、耕作放棄されている農地を使い昆虫の餌となる草を育てもよい。そして、生物ＬＦの育成、及び、耕作放棄されている農地を利用するため、地域の活性化につなげることができる。
【０２３３】
また、液体ＬＱを濾過部Ｆへ案内する案内部４０は、複数あってもよい。例えば、育成部２０が矩形の場合、育成部２０の角となる部分に液体ＬＱを濾過部Ｆへ案内する案内部４０が配置される。したがって、育成部２０の角に溜まった魚類の排泄物やごみを濾過部Ｆに案内できる。したがって、育成部２０の水質を保つことができる。また、濾過部Ｆは、液体再利用部を有していてもよい。液体再利用部は、液体ＬＱを再利用するための処理を実行する。
【０２３４】
また、補強部材を有していてもよい。補強部材は、育成部２０、筒部３０、及び、収容部６０を補強する。補強部材は、シート、及び、接着材である。補強部材は、作業室９０に配置されてもよい。
【０２３５】
なお、育成部２０で水耕栽培を行う場合、育成部２０は、植物保持部を更に有してもよい。植物保持部は、例えば、ロックウール、及び、スポンジである。ロックウールには、植物が配置される。ロックウールは育成部２０から取り外しできる。植物保持部は、移動部７０に載せて移動できる。
【産業上の利用可能性】
【０２３６】
本発明は、保温システム及び保温装置の分野に利用可能である。
【符号の説明】
【０２３７】
１      保温システム
１０      貯留部
１０Ａ    第１貯留部
１０Ｂ    第２貯留部
１０Ｃ    第３貯留部
２０      育成部（第１収容部）
３０      筒部（流路部）
３１      筒体（流路体）
４０      案内部
６０      収容部（第２収容部）
６３      発光部
６４      断熱部材
６５      反射部材
７０      移動部
８０      切替部
９０      作業室
９２      導入部
９５      熱輻射部材
９６      第２導光部（導光部）
Ｇ１      地表
Ｇ２      地中
【図１】
2020138243.tif 000003
【図２】
2020138243.tif 000004
【図３】
2020138243.tif 000005
【図４】
2020138243.tif 000006
【図５】
2020138243.tif 000007
【図６】
2020138243.tif 000008
【図７】
2020138243.tif 000009
【図８】
2020138243.tif 000010
【図９】
2020138243.tif 000011
【図１０】
2020138243.tif 000012
【図１１】
2020138243.tif 000013
【図１２】
2020138243.tif 000014
【図１３】
2020138243.tif 000015
【図１４】
2020138243.tif 000016
【図１５】
2020138243.tif 000017
【図１６】
2020138243.tif 000018
【図１７】
2020138243.tif 000019
【図１８】
2020138243.tif 000020
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
熱を運搬する媒体としての物質の通路を構成する通路部と、
前記物質を貯留する貯留部と、
前記貯留部と前記通路部とを接続して、前記貯留部から前記通路部へ前記物質を案内する案内部と、
物体を収容する第１収容部と、
前記第１収容部を収容する第２収容部と
を備え、
前記通路部は、前記第１収容部の外側に複数配置され、
前記複数の通路部の各々は、複数の通路体を含み、
前記複数の通路体の各々は、前記物質が流入する第１開放端と前記物質が流出する第２開放端とを有し、
前記複数の前記通路体のうちの１つの前記通路体の前記第２開放端と、前記１つの前記通路体と異なる前記通路体の前記第１開放端とは接続され、前記複数の通路体は直列に接続される、保温システム。
【請求項２】
前記貯留部は、地中に位置し、
前記第１収容部は、生物を収容し、
前記物質は、液体であり、
前記案内部は、前記貯留部から前記通路部へ前記液体を案内する、請求項１に記載の保温システム。
【請求項３】
前記第２収容部は、地中に位置する、請求項２に記載の保温システム。
【請求項４】
前記第１収容部を移動させる移動部を更に備える、請求項３に記載の保温システム。
【請求項５】
前記通路部は、光を透過する、請求項２から請求項４のいずれか１項に記載の保温システム。
【請求項６】
地表からの深さが異なる複数の前記貯留部を含み、
前記保温システムは、前記通路部に向かって案内される前記液体の供給元を切り替える切替部を更に備え、
前記切替部は、前記複数の貯留部のうちの供給元に設定されている貯留部から、他の貯留部に供給元を切り替える、請求項３から請求項５のいずれか１項に記載の保温システム。
【請求項７】
前記第１収容部が運搬される作業室を更に備え、
前記作業室は、外部と遮断される、請求項１から請求項６のいずれか１項に記載の保温システム。
【請求項８】
前記通路体の内部には、蓄熱部材が配置される、請求項１から請求項７のいずれか１項に記載の保温システム。
【請求項９】
互いに隣り合う前記通路部と前記通路部との間に配置される緩衝部材を更に備える、請求項１から請求項８のいずれか１項に記載の保温システム。
【請求項１０】
前記貯留部は、微生物または藻類とのうちのすくなくとも一方を収容する、請求項１から請求項９のいずれか１項に記載の保温システム。
【請求項１１】
熱を運搬する媒体としての物質の通路を構成する通路部と、
貯留部から、前記貯留部に貯留された前記物質を前記通路部へ案内する案内部と、
物体を収容する第１収容部と、
前記第１収容部を収容する第２収容部と
を備え、
前記通路部は、前記第１収容部の外側に複数配置され、
前記複数の通路部の各々は、複数の通路体を含み、
前記複数の通路体の各々は、前記物質が流入する第１開放端と前記物質が流出する第２開放端とを有し、
前記複数の前記通路体のうちの１つの前記通路体の前記第２開放端と、前記１つの前記通路体と異なる前記通路体の前記第１開放端とは接続され、前記複数の通路体は直列に接続される、保温装置。
【請求項１２】
前記貯留部は、地中に位置し、
前記第１収容部は、生物を収容し、
前記物質は、液体であり、
前記案内部は、前記貯留部から前記通路部へ前記液体を案内する、請求項１１に記載の保温装置。
【請求項１３】
前記通路体の内部には、蓄熱部材が配置される、請求項１１または請求項１２に記載の保温装置。
【国際調査報告】
2020138243.tif 000021
2020138243.tif 000022
2020138243.tif 000023
2020138243.tif 000024
2020138243.tif 000025
2020138243.tif 000026
2020138243.tif 000027
2020138243.tif 000028
2020138243.tif 000029
2020138243.tif 000030